(57)【特許請求の範囲】
【請求項１】
親機と、アドレスを設定されて親機に接続される１つ以上の端末器と、端末器に接続される照明器具とを備え、親機は各端末器との間で信号の授受を行い、各端末器は、親機との間で信号の授受を行うための通信制御部と、設定されたアドレスを記憶する記憶部と、設定されたアドレスに応じて自器に接続した照明器具の制御モードを、端末器が照明器具を制御する分散制御モードと、親機からの信号によって照明器具を制御する集中制御モードとから選択して、照明器具を制御する制御部とを備え、
集中制御モードにおいて、前記端末器のうち１つ以上は、親機からの信号によって制御部が自器に接続している照明器具の光出力を制御する集中制御調光端末器と、明るさ検知センサを具備して照明器具の反射光を検知し、親機からの信号によって検知結果を親機に出力する集中制御センサ端末器とを備えた集中制御端末器であり、集中制御調光端末器と集中制御センサ端末器とは、設定されるアドレスは互いに同じアドレスであり、親機から見たアドレスは互いに異なるアドレスであることを特徴とする照明制御装置。
【請求項２】
前記端末器は、明るさ検知センサと人体検知センサとのうち少なくとも明るさ検知センサを具備し、前記親機、及び端末器は、前記センサの検知結果に応じて照明器具を制御することを特徴とする請求項１記載の照明制御装置。
【請求項３】
前記端末器に設定するアドレス信号を送信するリモコンを備え、前記端末器は、前記アドレス信号を受信する受信部を備えて、制御部は前記受信部で受信したアドレス信号に対応したアドレスを前記記憶部に格納することを特徴とする請求項１または２記載の照明制御装置。
【請求項４】
前記端末器の記憶部は不揮発性メモリからなることを特徴とする請求項１乃至３いずれか記載の照明制御装置。
【請求項５】
分散制御モードにおいて、前記端末器は、明るさ検知センサを具備して自器に接続している照明器具の反射光を検知し、前記検知結果によって、制御部が前記照明器具の光出力をフィードバック制御して前記照明器具の反射光の明るさを一定にする分散制御端末器であることを特徴とする請求項１記載の照明制御装置。
【請求項６】
集中制御モードにおいて、前記端末器のうち１つ以上は、前記親機からの信号によって、制御部が自器に接続している照明器具の光出力を制御する集中制御調光端末器であることを特徴とする請求項１記載の照明制御装置。
【請求項７】
集中制御モードにおいて、前記端末器のうち１つ以上は、明るさ検知センサを具備して照明器具の反射光を検知し、前記親機からの信号によって前記検知結果を親機に出力する集中制御センサ端末器であることを特徴とする請求項１記載の照明制御装置。
【請求項８】
前記端末器の動作を設定する設定信号を送信するリモコンを備え、前記端末器は、前記設定信号を受信する受信部を備えて、前記端末器の制御部は前記受信部で受信した設定信号に対応した動作を行うことを特徴とする請求項１乃至７いずれか記載の照明制御装置。
【請求項９】
前記親機は、前記端末器の動作を設定する設定信号、及び前記端末器の動作状態を示す信号を返信するよう指示する監視信号を前記端末器に出力し、前記端末器の制御部は、前記通信制御部を介して受信した前記設定信号に対応した動作を行い、前記通信制御部を介して受信した前記監視信号に対応した動作状態を示す信号を前記通信制御部を介して前記親機に出力することを特徴とする請求項１乃至７いずれか記載の照明制御装置。
【請求項１０】
集中制御モードにおいて、前記親機からの信号は、従来の集中制御を行うための端末器を制御及び監視する信号と互換性を有することを特徴とする請求項９記載の照明制御装置。
【請求項１１】
前記端末器の動作を設定する設定信号を送信するリモコンを備え、前記親機は前記端末器に設定信号を送信し、前記端末器は前記リモコンが送信した設定信号を受信する受信部を備えて、前記受信部で受信した設定信号または、前記通信制御部を介して受信した前記親器が送信した設定信号に対応した設定内容を制御部に設定され、前記端末器の記憶部は、設定内容をリモコンと親機とのうちいずれが設定を行ったかを記憶していることを特徴とする請求項１記載の照明制御装置。
【発明の詳細な説明】
【０００１】
【発明の属する技術分野】
本発明は親機と端末器とを備えて、照明器具を制御する照明制御装置に関するものである。
【０００２】
【従来の技術】
従来の集中制御型の照明制御システムは、図７に示すように制御する照明器具５３が１つ対応する個別スイッチ５０ａ、または図８に示すように制御する照明器具３が複数対応するグループスイッチ５０ｂをプッシュ操作することによって、照明器具５３をオン，オフしていた。
【０００３】
そして、個別スイッチ５０ａとグループスイッチ５０ｂとは図９に示すマップにようにスイッチに割り付けるアドレスの設定によって切替えることができ、スイッチを個別スイッチ５０ａとして用いる場合はアドレス０〜３Ｆが割り付けられ、グループスイッチ５０ｂとして用いる場合はアドレスＣ０以下が割り付けられる。また、照明器具５３を含む個別回路制御端末はアドレス８０〜ＢＦが割り付けられて、個別スイッチ５０ａにアドレス「０」を割り付けると、アドレス「８０」が割り付けられた個別回路制御端末を制御するように自動的に設定され、１つの個別スイッチ５０ａが１つの個別回路制御端末に対応する。グループスイッチ５０ｂの場合は、１つのグループスイッチ５０ｂが複数の個別回路制御端末に対応する。しかし、このような従来の集中制御型の照明制御システムにおいては、スイッチを個別スイッチ５０ａに設定するか、もしくはグループスイッチ５０ｂに設定するかはアドレスの割り付け方で決定されていた。すなわち、これは集中制御モード内でスイッチの機能を切替えるものであって、集中制御モードと分散制御モードといった制御モードを切替えるものではなかった。
【０００４】
次に集中制御モードの端末器として、アドレスに依らず、機能を固定した明るさセンサ端末器と、調光端末器とを用いた従来例について説明する。図１０に示すように親機５１は、通信信号線５６を介して明るさセンサ端末器５２ａ、調光端末器５２ｂと接続し、外部電源（図示なし）から点灯電源を供給される照明器具５３は調光信号線５７を介して調光端末器５２ｂと接続している。そして、明るさセンサ端末器５２ａで照明器具５３の下面の明るさを検知し、検知した下面の明るさが設定された一定の明るさになるように親機５１にて調光端末器５２ｂをフィードバック制御していた。しかし、明るさセンサ端末５２ａ、調光端末器５２ｂは集中制御モードのみの端末器であり、集中制御モードと分散制御モードといった制御モードを切替えるものではなく、また各々の端末器は別々に存在していた。
【０００５】
【発明が解決しようとする課題】
上記のような従来例においては、集中制御モードと分散制御モードといった制御モードを切替えるものではなく、レイアウト変更等があった場合に適切な制御モードの選択、変更、及び端末器の切替えを容易に行うことができなかった。
【０００６】
本発明は、上記事由に鑑みてなされたものであり、その目的は、分散制御モードと集中制御モードとの切替え、及び端末器の切替えを容易に行うことができる照明制御装置を提供することにある。
【０００７】
【課題を解決するための手段】
請求項１の発明は、親機と、アドレスを設定されて親機に接続される１つ以上の端末器と、端末器に接続される照明器具とを備え、親機は各端末器との間で信号の授受を行い、各端末器は、親機との間で信号の授受を行うための通信制御部と、設定されたアドレスを記憶する記憶部と、設定されたアドレスに応じて自器に接続した照明器具の制御モードを、端末器が照明器具を制御する分散制御モードと、親機からの信号によって照明器具を制御する集中制御モードとから選択して、照明器具を制御する制御部とを備え、集中制御モードにおいて、前記端末器のうち１つ以上は、親機からの信号によって制御部が自器に接続している照明器具の光出力を制御する集中制御調光端末器と、明るさ検知センサを具備して照明器具の反射光を検知し、親機からの信号によって検知結果を親機に出力する集中制御センサ端末器とを備えた集中制御端末器であり、集中制御調光端末器と集中制御センサ端末器とは、設定されるアドレスは互いに同じアドレスであり、親機から見たアドレスは互いに異なるアドレスであることを特徴とする。
【０００８】
請求項２の発明は、請求項１の発明において、負前記端末器は、明るさ検知センサと人体検知センサとのうち少なくとも明るさ検知センサを具備し、前記親機、及び端末器は、前記センサの検知結果に応じて照明器具を制御することを特徴とする。
【０００９】
請求項３の発明は、請求項１または２の発明において、前記端末器に設定するアドレス信号を送信するリモコンを備え、前記端末器は、前記アドレス信号を受信する受信部を備えて、制御部は前記受信部で受信したアドレス信号に対応したアドレスを前記記憶部に格納することを特徴とする。
【００１０】
請求項４の発明は、請求項１乃至３いずれかの発明において、前記端末器の記憶部は不揮発性メモリからなることを特徴とする。
【００１１】
請求項５の発明は、請求項１の発明において、分散制御モードにおいて、前記端末器は、明るさ検知センサを具備して自器に接続している照明器具の反射光を検知し、前記検知結果によって、制御部が前記照明器具の光出力をフィードバック制御して前記照明器具の反射光の明るさを一定にする分散制御端末器であることを特徴とする。
【００１２】
請求項６の発明は、請求項１の発明において、集中制御モードにおいて、前記端末器のうち１つ以上は、前記親機からの信号によって、制御部が自器に接続している照明器具の光出力を制御する集中制御調光端末器であることを特徴とする。
【００１３】
請求項７の発明は、請求項１の発明において、集中制御モードにおいて、前記端末器のうち１つ以上は、明るさ検知センサを具備して照明器具の反射光を検知し、前記親機からの信号によって前記検知結果を親機に出力する集中制御センサ端末器であることを特徴とする。
【００１４】
請求項８の発明は、請求項１乃至７いずれかの発明において、前記端末器の動作を設定する設定信号を送信するリモコンを備え、前記端末器は、前記設定信号を受信する受信部を備えて、前記端末器の制御部は前記受信部で受信した設定信号に対応した動作を行うことを特徴とする。
【００１５】
請求項９の発明は、請求項１乃至７いずれかの発明において、前記親機は、前記端末器の動作を設定する設定信号、及び前記端末器の動作状態を示す信号を返信するよう指示する監視信号を前記端末器に出力し、前記端末器の制御部は、前記通信制御部を介して受信した前記設定信号に対応した動作を行い、前記通信制御部を介して受信した前記監視信号に対応した動作状態を示す信号を前記通信制御部を介して前記親機に出力することを特徴とする。
【００１６】
請求項１０の発明は、請求項９の発明において、集中制御モードにおいて、前記親機からの信号は、従来の集中制御を行うための端末器を制御及び監視する信号と互換性を有することを特徴とする。
【００１７】
請求項１１の発明は、請求項１の発明において、前記端末器の動作を設定する設定信号を送信するリモコンを備え、前記親機は前記端末器に設定信号を送信し、前記端末器は前記リモコンが送信した設定信号を受信する受信部を備えて、前記受信部で受信した設定信号または、前記通信制御部を介して受信した前記親器が送信した設定信号に対応した設定内容を制御部に設定され、前記端末器の記憶部は、設定内容をリモコンと親機とのうちいずれが設定を行ったかを記憶していることを特徴とする。
【００１８】
【発明の実施の形態】
以下、本発明の実施の形態を図面に基づいて説明する。
【００１９】
（実施形態１）
本実施形態は、図２に示すように、親機１と、通信信号線６を介して親機１と接続している分散制御端末器２ａ，２ｂ、集中制御端末器２ｃ、集中制御調光端末器２ｄ、及び集中制御センサ端末器２ｅと、調光信号線７を介して端末器２ａ〜２ｄと各々接続して、外部電源（図示なし）から点灯電源を供給される照明器具３ａ〜３ｄと、端末器２ａ〜２ｅのアドレスを設定するアドレス信号を送信するリモコン４とから構成されている。また、端末器２（分散制御端末器２ａ，２ｂ、集中制御端末器２ｃ、集中制御調光端末器２ｄ、集中制御センサ端末器２ｅ）は図１に示すように、電源線５を介して外部の制御電源（図示なし）と接続して動作に必要な電源を供給する電源部２０と、動作を制御する制御部２２と、通信信号線６及び制御部２２と接続して、親機１と信号のやり取り及び制御部２２とデータの受け渡しを行う通信制御部２１と、制御部２２と接続して、制御、監視、アドレス情報を記憶するＥＥＰＲＯＭ２３と、明るさ検知センサであり、照明器具３の下面の反射光を検知する明るさセンサ部２４と、リモコン４及び制御部２２の間で信号のやり取り、データの受け渡しを行うリモコン部２５と、制御部２２からの信号に対応した調光信号を調光信号線７を介して照明器具３に出力する調光信号部２６と、情報、データをＬＥＤに表示する表示部２７とから構成されている。
【００２０】
ここで、分散制御端末器２ａ，２ｂは分散制御モードで動作し、集中制御端末器２ｃ、集中制御調光端末器２ｄ、及び集中制御センサ端末器２ｅは集中制御モードで動作しており、この制御モードは各端末器毎に割り付けられたアドレスによって設定されている。このアドレスの割り付けは、図４に示すように、リモコン４からアドレス信号を送信し、リモコン部２５を介して制御部２２がこのアドレス信号に対応したアドレスをＥＥＰＲＯＭ２３に格納することで行われる。アドレス００〜７Ｆを割り付けると制御部２２は不動作モードとなり、アドレス８０〜ＢＦを割り付けると制御部２２は分散制御モードで動作し、アドレスＣ０〜ＦＦを割り付けると制御部２２は集中制御モードで動作する。
【００２１】
次に、このアドレス割り付けのフローチャートを図３に示す。まず、制御部２２は、制御モードの設定を開始し（ステップＳ１）、リモコン４からのアドレス信号があるか否かを判断し（ステップＳ２）、アドレス信号がなければステップＳ２を繰り返して、アドレス信号があれば、まずその信号がアドレス００〜７Ｆのいずれかであるか否かを判断し（ステップＳ３）、アドレス信号がアドレス００〜７Ｆのいずれかであれば制御モードを不動作モードに設定し（ステップＳ６）、アドレス信号がアドレス００〜７Ｆのいずれかでなければ、次にアドレス信号がアドレス８０〜ＢＦのいずれかであるか否かを判断し（ステップＳ４）、アドレス信号がアドレス８０〜ＢＦのいずれかであれば制御モードを分散制御モードに設定し（ステップＳ７）、アドレス信号がアドレス８０〜ＢＦのいずれかでなければ、次に信号がアドレスＣ０〜ＦＦのいずれかであるか否かを判断し（ステップＳ５）、アドレス信号がアドレスＣ０〜ＦＦのいずれかであれば制御モードを集中制御モードに設定し（ステップＳ８）、アドレス信号がアドレスＣ０〜ＦＦのいずれかでなければ、あるいはステップＳ６，Ｓ７，Ｓ８で制御モードを設定した場合には再びステップ１に戻る（ステップＳ９）。
【００２２】
次に、不動作モード、分散制御モード、及び集中制御モードの各動作について説明する。不動作モードにおいては、外部からの信号に関わらず現状の点灯、調光状態をそのまま維持する。分散制御モードにおいては、明るさセンサ部２４によって接続している照明器具３の反射光を検知し、制御部２２は検知した反射光の明るさが一定になるように、検知した反射光の明るさをフィードバックして調光信号部２６が出力する調光信号を制御し、調光信号線７を介して照明器具３の光出力を制御する。集中制御モードにおいては、通信制御部２１が親機１と信号のやり取り、及び制御部２２とデータの受け渡しを行い、親機１が出力する設定信号によって、端末器２の制御部２２は設定信号に対応した動作を行い、親機１が出力する監視信号によって、端末器２は自器の動作状態を示す信号を親機１に出力して動作状態を親機１によって監視することで、照明器具３の光出力を制御している。
【００２３】
例えば、分散制御端末器２ａ，２ｂは、アドレス８０〜ＢＦから割り付けられて分散制御モードで動作しており、制御部２２は、各々に接続している照明器具３ａ，３ｂの反射光を明るさセンサ部２４により検知し、照明器具３ａ，３ｂの反射光の明るさが各々一定になるように照明器具３ａ，３ｂの光出力を明るさセンサ部２４の各検知結果によってフィードバック制御している。
【００２４】
集中制御端末器２ｃは、アドレスＣ０〜ＦＦから割り付けられて集中制御モードで動作しており、制御部２２は、接続している照明器具３ｃの反射光を明るさセンサ部２４により検知し、親機１からの監視信号によって明るさセンサ部２４の検知結果を親機１に出力する集中制御センサ端末器と、親機１からの設定信号、監視信号によって照明器具３ｃの光出力を制御する集中制御調光端末器とを構成している。
【００２５】
集中制御調光端末器２ｄは、アドレスＣ０〜ＦＦから割り付けられて集中制御モードで動作しており、制御部２２は、親機１からの設定信号、監視信号によって接続している照明器具３ｄの光出力を制御している。
【００２６】
集中制御センサ端末器２ｅは、アドレスＣ０〜ＦＦから割り付けられて集中制御モードで動作しており、制御部２２は、明るさセンサ部２４で接続している照明器具３ｅの反射光を検知し、親機１からの監視信号によって明るさセンサ部２４の検知結果を親機１に出力している。
【００２７】
したがって本実施形態では、端末器２のアドレスを所望の制御モードに対応したアドレスに割り付けることによって、端末器２を分散制御モード、または集中制御モードに容易に切替えることができる。
【００２８】
なお、端末器２が明るさセンサ部２４だけでなく人感センサも備えて、人感センサで検知した人の在、不在の情報と、明るさセンサ部２４で検知した照明器具３の反射光とによって、照明器具の反射光の明るさが一定になるように照明器具３の光出力をフィードバック制御してもよい。
【００２９】
ここで、図４に示すように、分散制御モードと集中制御モードとの切替えは、リモコン４によって割り付けるアドレスによって切替えを行い、分散制御モードの場合はリモコン４によってアドレス８０〜ＢＦを割り付けられるが、このときの親機１から端末器２ａ，２ｂを見た制御・監視アドレスはＡ−８０〜Ａ−ＢＦとなっている。
【００３０】
また、集中制御モードの場合はリモコン４によって集中制御端末器２ｃ，集中制御調光端末器２ｄ及び集中制御センサ端末器２ｅで共通のアドレスＣ０〜ＦＦを割り付けられ、このときの親機１から集中制御調光端末器２ｄを見た制御・監視アドレスは、Ａ−Ｃ０〜Ａ−ＦＦとなり、集中制御センサ端末器２ｅでは９−Ｃ０〜９−ＦＦとなり、集中制御端末器２ｃではＡ−Ｃ０〜Ａ−ＦＦと９−Ｃ０〜９−ＦＦの２つのアドレスが設定される。
【００３１】
このように集中制御モードで動作する集中制御端末器２ｃにおいて、リモコン４によってアドレス８０〜ＢＦを割り付けると、親機１から端末器２を見た制御・監視アドレスは、集中制御調光端末器にはＡ−Ｃ０〜Ａ−ＦＦが割り付けられ、集中制御センサ端末器には９−Ｃ０〜９−ＦＦが割り付けられる。したがって、親機１にとっては２種類の端末器が存在することになり、また同一端末器内には２種類の端末器が共存することになるが、集中制御調光端末器と集中制御センサ端末器とでは制御信号、監視信号が異なるため、親機１としては制御、監視を問題なく行うことができる。
【００３２】
したがって、本実施形態では、１つの端末器２で、レイアウト変更等があった場合に適切な制御モードの選択、変更、及び端末器の切替えを容易に行うことができ、用途にあった選択を容易に行うことができる。また、親機からは各端末器によってアドレスが異なるため、管理ポイントを増やすことができる。
【００３３】
（実施形態２）
本実施形態の構成は、実施形態１を示す図１〜図４と同様であり、同様の構成には同一の符号を付して説明は省略する。本実施形態において端末器２は、親機１とリモコン４との間で図５に示す各設定、監視信号を用いて設定、監視を行っている。ここで、動作モード切替，リモコンロック／解除，調光出力値，パラメータ設定，フェード時間、アドレスは各機能を端末器２に設定する設定信号であり，明るさ検知センサ計測値は明るさセンサ部２４の検知した値を親機１に返信するための監視信号である。
【００３４】
まず、リモコン４による設定について説明する。端末器２は、リモコン４からの設定信号を受信するリモコン部２５を備えて、端末器２の制御部２２はリモコン部２５で受信した設定信号に対応した動作を行う。
【００３５】
次に、親機１による設定、監視について説明する。親器１は、端末器２の動作を設定する設定信号、及び端末器２の動作状態を示す信号を返信するよう指示する監視信号を端末器２に出力し、端末器２の制御部２２は、通信制御部２１を介して受信した設定信号に対応した動作を行い、通信制御部２１を介して受信した監視信号に対応した動作状態を示す信号を通信制御部２１を介して親機１に出力する。
【００３６】
そして、分散制御端末器２ａ，２ｂは全ての信号を受け付けて、親機１と分散制御端末器２ａ，２ｂとの間では、動作モード切替，リモコンロック／解除，調光出力値，パラメータ設定，フェード時間，明るさ検知センサ計測値の各信号を用い、リモコン４と分散制御端末器２ａ，２ｂとの間では、動作モード切替，調光出力値，パラメータ設定，アドレスの各信号を用いて、設定、監視動作が行われる。
【００３７】
また、集中制御調光端末器２ｄは、機能的に必要な調光出力値とフェード時間との信号のみを受け付け、集中制御センサ端末器２ｅは機能的に必要な明るさ検知センサ計測値の信号のみを受け付け、集中制御端末器２ｃは、集中制御調光端末器２ｄと集中制御センサ端末器２ｅとの両方の信号を受け付けることができる。
【００３８】
ここで、分散制御モードと集中制御モードとでは、信号のフォーマットは異なっており、集中制御モードの信号は従来からの集中制御の端末器の信号とフォーマットは同じである。
【００３９】
したがって、本実施形態では、親機１、リモコン４から制御モードに関わらずに設定、監視を行うことができ、さらに集中制御モードの端末器は従来の端末器との互換性を保つことができる。
【００４０】
（実施形態３）
本実施形態の構成は、実施形態１または２を示す図１〜図５と同様であり、同様の構成には同一の符号を付して説明は省略する。
【００４１】
図５に示す設定、監視信号のうち、動作モード切替，調光出力値，パラメータ設定は、親機１とリモコン４とから同じ設定内容を設定することがある。この場合、親機１とリモコン４とのうちいずれから設定されたかが分からなくなる可能性がある。そこで、図６に示すように各設定のパラメータに対して設定ソースステータスを設けて、親機１が設定したパラメータに対しては設定ソースステータスを「１」とし、リモコン４が設定したパラメータに対しては設定ソースステータスを「０」として判別を行う。
【００４２】
したがって、本実施形態では、万が一、パラメータ設定のトラブルが生じた場合に、設定した機器を特定することができる。
【００４３】
【発明の効果】
請求項１の発明は、親機と、アドレスを設定されて親機に接続される１つ以上の端末器と、端末器に接続される照明器具とを備え、親機は各端末器との間で信号の授受を行い、各端末器は、親機との間で信号の授受を行うための通信制御部と、設定されたアドレスを記憶する記憶部と、設定されたアドレスに応じて自器に接続した照明器具の制御モードを、端末器が照明器具を制御する分散制御モードと、親機からの信号によって照明器具を制御する集中制御モードとから選択して、照明器具を制御する制御部とを備え、集中制御モードにおいて、前記端末器のうち１つ以上は、親機からの信号によって制御部が自器に接続している照明器具の光出力を制御する集中制御調光端末器と、明るさ検知センサを具備して照明器具の反射光を検知し、親機からの信号によって検知結果を親機に出力する集中制御センサ端末器とを備えた集中制御端末器であり、集中制御調光端末器と集中制御センサ端末器とは、設定されるアドレスは互いに同じアドレスであり、親機から見たアドレスは互いに異なるアドレスであるので、分散制御モードと集中制御モードとの切替えを容易に行うことができ、１つの端末器で、レイアウト変更時にも適切な制御モードを選択できるようになり、用途に合った選択を容易に行うことができるという効果がある。さらに、制御モードを集中制御モードに切替えることによって、集中制御モード時に明るさ検知センサの検知結果を親機に出力して、親機は検知結果に応じて照明器具を集中制御することができ、例えば被照射面を一定の明るさに制御することができるという効果がある。さらには、親機からみたアドレスが端末器によって異なり、管理ポイントを増やすことができ、親機から見たアドレスを変更することによって端末機の切替えを容易に行うことができるという効果がある。
【００４４】
請求項２の発明は、請求項１の発明において、前記端末器は、明るさ検知センサと人体検知センサとのうち少なくとも明るさ検知センサを具備し、前記親機、及び端末器は、前記センサの検知結果に応じて照明器具を制御するので、被照射面の明るさに応じて調光制御を行うことができ、例えば被照射面を一定の明るさに制御することができるという効果がある。
【００４５】
請求項３の発明は、請求項１または２の発明において、前記端末器に設定するアドレス信号を送信するリモコンを備え、前記端末器は、前記アドレス信号を受信する受信部を備えて、制御部は前記受信部で受信したアドレス信号に対応したアドレスを前記記憶部に格納するので、分散制御モードと集中制御モードとの切替えを容易に行うことができるという効果がある。
【００４６】
請求項４の発明は、請求項１乃至３いずれかの発明において、前記端末器の記憶部は不揮発性メモリからなるので、設定したアドレスを記憶、保存できるという効果がある。
【００４７】
請求項５の発明は、請求項１の発明において、分散制御モードにおいて、前記端末器は、明るさ検知センサを具備して自器に接続している照明器具の反射光を検知し、前記検知結果によって、制御部が前記照明器具の光出力をフィードバック制御して前記照明器具の反射光の明るさを一定にする分散制御端末器であるので、制御モードを分散制御モードに切替えることによって、各端末器が、照明器具の反射光の明るさが一定になるように光出力をフィードバック制御して照明器具を分散制御することができるという効果がある。
【００４８】
請求項６の発明は、請求項１の発明において、集中制御モードにおいて、前記端末器のうち１つ以上は、前記親機からの信号によって、制御部が自器に接続している照明器具の光出力を制御する集中制御調光端末器であるので、制御モードを集中制御モードに切替えることによって、照明器具を親機により集中制御することができるという効果がある。
【００４９】
請求項７の発明は、請求項１の発明において、集中制御モードにおいて、前記端末器のうち１つ以上は、明るさ検知センサを具備して照明器具の反射光を検知し、前記親機からの信号によって前記検知結果を親機に出力する集中制御センサ端末器であるので、制御モードを集中制御モードに切替えることによって、集中制御モード時に明るさ検知センサの検知結果を親機に出力することができるという効果がある。
【００５０】
請求項８の発明は、請求項１乃至７いずれかの発明において、前記端末器の動作を設定する設定信号を送信するリモコンを備え、前記端末器は、前記設定信号を受信する受信部を備えて、前記端末器の制御部は前記受信部で受信した設定信号に対応した動作を行うので、リモコンから制御モードに関わらずに設定、監視を行うことができるという効果がある。
【００５１】
請求項９の発明は、請求項１乃至７いずれかの発明において、前記親機は、前記端末器の動作を設定する設定信号、及び前記端末器の動作状態を示す信号を返信するよう指示する監視信号を前記端末器に出力し、前記端末器の制御部は、前記通信制御部を介して受信した前記設定信号に対応した動作を行い、前記通信制御部を介して受信した前記監視信号に対応した動作状態を示す信号を前記通信制御部を介して前記親機に出力するので、親機から制御モードに関わらずに設定、監視を行うことができるという効果がある。
【００５２】
請求項１０の発明は、請求項９の発明において、集中制御モードにおいて、前記親機からの信号は、従来の集中制御を行うための端末器を制御及び監視する信号と互換性を有するので、従来の集中制御を行うための端末器との互換性を保つことができるという効果がある。
【００５３】
請求項１１の発明は、請求項１の発明において、前記端末器の動作を設定する設定信号を送信するリモコンを備え、前記親機は前記端末器に設定信号を送信し、前記端末器は前記リモコンが送信した設定信号を受信する受信部を備えて、前記受信部で受信した設定信号または、前記通信制御部を介して受信した前記親器が送信した設定信号に対応した設定内容を制御部に設定され、前記端末器の記憶部は、設定内容をリモコンと親機とのうちいずれが設定を行ったかを記憶しているので、万が一、設定のトラブルが生じた場合に、設定した機器を特定することができるという効果がある。
【図面の簡単な説明】
【図１】  本発明の実施形態１の端末器の回路ブロックを示す図である。
【図２】  本発明の実施形態１の構成を示す図である。
【図３】  本発明の実施形態１の端末器のアドレス割り付けのフローチャートを示す図である。
【図４】  本発明の実施形態１の端末器のアドレス割り付けを示す図である。
【図５】  本発明の実施形態２のコマンドを示す図である。
【図６】  本発明の実施形態３のパラメータの構成を示す図である。
【図７】  従来例の第１の構成を示す図である。
【図８】  従来例の第２の構成を示す図である。
【図９】  従来例の端末器のアドレス割り付けを示す図である。
【図１０】  従来例の第３の構成を示す図である。
【符号の説明】
２  端末器
２１  通信制御部
２２  制御部
２３  ＥＥＰＲＯＭ
６  通信信号線
【図１】
0003965952.tif 000002
【図２】
0003965952.tif 000003
【図３】
0003965952.tif 000004
【図４】
0003965952.tif 000005
【図５】
0003965952.tif 000006
【図６】
0003965952.tif 000007
【図７】
0003965952.tif 000008
【図８】
0003965952.tif 000009
【図９】
0003965952.tif 000010
【図１０】
0003965952.tif 000011